(57)【要約】【課題】  配管工事や換気用のファンの設置を伴うことなく床下空間の換気を自由に調節して行うことができ、合わせて外断熱基礎を構築することができる、換気調節機能付き外断熱用発泡合成樹脂板を得る。【解決手段】  発泡合成樹脂板の上部の短軸方向より換気を行うための換気孔を、長軸方向に多数形成し、該換気孔の開閉調節を行うための調節孔を換気孔と同数且つ同間隔に穿孔した換気調節板を換気孔の表面側より左右に摺動可能に削成した摺動溝に配設し、更には換気調節板の表面側より保持板を適度な間隔を持って横架貼着して換気調節板を摺動溝に保持する。また、換気調節板の表面側の中央下部に調節レバーを固着し、該調節レバーの摺動範囲における発泡合成樹脂板の表面に溝を形成する。【選択図】  図１
2005105792.tif 000002
【特許請求の範囲】
【請求項１】
発泡合成樹脂板（１）の上部の短軸方向より換気を行うための換気孔（１２）を、長軸方向に多数形成し、該換気孔（１２）の開閉調節を行うための調節孔（４）を換気孔（１２）と同数且つ同間隔に穿孔した換気調節板（３）を換気孔（１２）の表面側より左右に摺動可能に削成した摺動溝（６）に配設し、更には換気調節板（３）の表面側より保持板（８）を適度な間隔を持って横架貼着して換気調節板（３）を摺動溝（６）に保持し、また、換気調節板（３）の表面側の中央下部に調節レバー（５）を固着し、該調節レバー（５）の摺動範囲における発泡合成樹脂板（１）の表面に溝（７）を形成して構成したことを特徴とする、換気調節機能付き外断熱用発泡合成樹脂板。
【請求項２】
発泡合成樹脂板（１）の最上部の表面側及び裏面側に溝（１１，１１）を形成し、断面形状が略Ｃ字状で長さが発泡合成樹脂板（１）と同一の天井金具（１３）を当該溝（１１，１１）に挿通し、該発泡合成樹脂板（１）の最上部に天井金具（１３）を挿着したことを特徴とする、請求項１に記載の換気調節機能付き外断熱用発泡合成樹脂板。
【発明の詳細な説明】
【技術分野】
【０００１】  本発明は、住宅等の建築構造物の基礎コンクリートに固着する外断熱用発泡合成樹脂板に関し、特に床下空間の換気調節を行うことができる、換気調節機能付き外断熱用発泡合成樹脂板に関するものである。
【背景技術】
【０００２】  従来、住宅等の建築構造物の基礎コンクリートの立上げ部において、該基礎コンクリートと建築構造物の床下で囲まれた床下空間の換気を行うための換気口を適度な間隔を持って配設し、該床下空間の空気中の湿気による木材の腐敗防止やカビ等の発生防止を図っている。また、近年においては、基礎コンクリートの上面と根太との間に樹脂等で成形された基礎パッキンを適度な間隔を持って配設し、該基礎パッキンの両脇の空隙より床下空間と外気を連通して換気を行う方法が採られている。【０００３】  上記換気口や基礎パッキンによる床下空間の換気は、床下空間内の温度と外気温との温度差を利用した方式であるため夏場と冬場では換気量が異なり、更には各住宅等の建築構造物に配設した換気口の数や基礎パッキンの間隔によっても換気量が異なるため、一年を通して最適な換気を維持することは難しかった。この問題点を解決するため、特開２００３−１８５２０７号公報等においては床下空間内に換気用のファンを設置し、基礎コンクリートの立上げ部を貫通したダクトを通して外気との強制換気を行うと共に温度センサや風量センサにより換気量の制御を行う方式が記載されている。また、特開２００１−２４８２４４号公報においても床下空間内に換気用のファンを設置し、基礎パッキンの両脇から外気の吸気を行うと共に基礎コンクリートの立上げ部を貫通した吐出配管を通して排気を行う方法が記載されている。
【特許文献１】特開２００３−１８５２０７
【特許番号２】
特開２００１−２４８２４４
【発明の開示】
【発明が解決しようとする課題】
【０００４】  しかしながら、上記に挙げた換気用のファンによる換気方法においては、基礎コンクリートの立上げ部に換気用の配管を貫通して配設すると共に床下空間内に換気用のファンを設置し、前記配管と連通させるなどの配管工事が必要である。このため、配管工事や換気用のファンの設置に伴い建築費の上昇を招いてしまうといった問題点があった。また、居住後においてもメンテナンス費用が発生してしまうといった問題点があった。【０００５】  また、省エネルギー対策として基礎コンクリートの外面に断熱材を配設した外断熱基礎工法が効果的であり、該外断熱基礎工法は新築住宅を建築する際の断熱基準とされてきている。【０００６】  本発明は、以上のような問題点を解決すると共に効果的な省エネルギー対策を実施するために成されたものであり、配管工事や換気用のファンの設置を伴うことなく床下空間の換気を自由に調節して行うことができ、合わせて外断熱基礎を構築することができる、換気調節機能付き外断熱用発泡合成樹脂板を提供することを目的とする。
【課題を解決するための手段】
【０００７】  上記課題を解決するため、本発明の換気調節機能付き外断熱用発泡合成樹脂板は、発泡合成樹脂板の上部の短軸方向より換気を行うための換気孔を、長軸方向に多数形成し、該換気孔の開閉調節を行うための調節孔を換気孔と同数且つ同間隔に穿孔した換気調節板を換気孔の表面側より左右に摺動可能に削成した摺動溝に配設し、更には換気調節板の表面側より保持板を適度な間隔を持って横架貼着して換気調節板を摺動溝に保持する。また、換気調節板の表面側の中央下部に調節レバーを固着し、該調節レバーの摺動範囲における発泡合成樹脂板の表面に溝を形成する。
【発明の効果】
【０００８】  本発明の換気調節機能付き外断熱用発泡合成樹脂板を住宅等の建築構造物の基礎コンクリートの外断熱用断熱材として採用すれば、配管工事や換気用のファンの設置を行うことなく床下空間の換気を自由に調節して行うことができるため、建築費を削減することができるという効果を奏する。また、換気調節を行う場合には換気調節板を調節レバーによりスライドさせるだけの簡単な機構であり、居住後におけるメンテナンスも不要であるという効果を奏する。更には合わせて外断熱基礎を構築することができるという効果を奏する。
【発明を実施するための最良の形態】
【０００９】  本発明の換気調節機能付き外断熱用発泡合成樹脂板を実施するための最良の形態を図を用いて説明する。図１は本発明の換気調節機能付き外断熱用発泡合成樹脂板の外形図であり、（ａ）は正面図，（ｂ）は側面図，（ｃ）は平面図である。また、図３は本発明の換気調節機能付き外断熱用発泡合成樹脂板の換気機構図であり、（ａ）は換気孔の開放状態，（ｂ）は換気孔の遮断状態を示している。【００１０】  図１に示すように、発泡合成樹脂板１の上部の短軸方向即ち表面側と裏面側を貫通する方向より床下空間の換気を行うための換気孔１２を、長軸方向に多数形成する。また、該換気孔１２の開閉調節を行うための調節孔４を換気孔１２と同数且つ同間隔に穿孔した換気調節板３を換気孔１２の表面側より左右に摺動可能に削成した摺動溝６に配設し、更には換気調節板３の表面側より保持板８を適度な間隔を持って横架貼着して換気調節板３を摺動溝６に保持する。該保持板８の貼着位置は、図示するように換気調節板３の左右２箇所と中央部２箇所の４箇所程度が好適であるが、特に限定するものではない。また、換気孔１２を塞ぐことがないように各貼付位置において左右の換気孔１２，１２の中間に貼付するのが好適である。なお、前記換気調節板３の材質及び保持板８の材質や形状は特に限定するものではなく任意で構わない。【００１１】  また、換気調節板３の表面側の中央下部に調節レバー５を固着し、該調節レバー５の摺動範囲における発泡合成樹脂板１の表面に溝７を形成する。なお、該調節レバー５の形状や材質は特に限定するものではなく任意で構わない。【００１２】  次に、図３の（ａ）に示すように調節レバー５が右側にある場合、換気孔１２と換気調節板３の調節孔４とは重なり合っているため、空気の流通が行われる状態即ち開放状態となり換気が行われる。また、（ｂ）に示すように調節レバー５が左側にある場合、換気孔１２と換気調節板３の調節孔４とは互いにずれるため空気の流通が行われない状態即ち遮断状態となり換気が行われない。また、調節レバー５を中間位置にすれば、その割合に応じて換気孔１２が開放されることになり換気の調節が行える。なお、調節孔４の形状として完全に孔を穿孔することなく細かな孔の集合体又は網目にすれば、当該調節孔４からある程度の大きさの虫の侵入を防ぐことが可能となり好適である。また、換気孔１２や調節孔４の外形形状は円形で描いてあるが、長円や方形であっても構わない。更には調節レバー５が右側にある場合を開放状態としているが、配置状態により逆即ち遮断状態であっても構わない。
【実施例１】
【００１３】  本発明の実施例を図を用いて説明する。図５は本発明の換気調節機能付き外断熱用発泡合成樹脂板を基礎コンクリートに固着した一実施例での換気機構の側面図である。【００１４】  前述のように、発泡合成樹脂板１は換気調節機能を除けば一般的な断熱用の発泡合成樹脂板である。このため、図５に示すように基礎コンクリート１４の上面に基礎パッキン１６を適度な間隔を持って配設し、更に当該基礎パッキン１６の上部に根太１５を設置した基礎コンクリート１４の外面に、発泡合成樹脂板１を当該発泡合成樹脂板１の換気孔１２が基礎パッキン１６の高さと同一になるように固着する。該固着方法は、合成ゴム系の接着剤が好適である。また、換気孔１２を換気調節板３により遮断した場合において気密性を高めるため、発泡合成樹脂板１の最上部裏側と根太１５との空隙にパッキン１７を貼着する。更には雨水が発泡合成樹脂板１の上部の間隙及び換気孔１２より基礎コンクリート１４内に漏水しないように防水カバー１８を根太１７に固定し、発泡合成樹脂板１の上部及び換気孔１２を保護する。【００１５】  また、図２は本発明の換気調節機能付き外断熱用発泡合成樹脂板の連結機構図であり、（ａ）は連結前の状態，（ｂ）は連結後の状態を示している。発泡合成樹脂板１の左右の側部には互いに向きの異なる略コ字状の嵌合部２，２’が形成され、（ａ）の矢印のように一方の発泡合成樹脂板１の嵌合部２を他方の発泡合成樹脂板１の嵌合部２’に嵌めることにより連結が行える。また、各嵌合部２，２’には溝９，９’が形成され、（ｂ）に示すように溝９と溝９’で構成された溝にコーキング材１０を充填することにより、嵌合部２，２’からの雨水の漏水を防止することができる。また、該発泡合成樹脂板１の表面仕上げとして、モルタル等の下地材を塗布したのち外壁用塗装処理を行ったり、予めウレタン樹脂等の合成樹脂板を貼着しておき、その上から外壁用塗装処理を行うようにしても構わない。【００１６】  また、図４は本発明の換気調節機能付き外断熱用発泡合成樹脂板の天井部面図であり、（ａ）は天井金具の嵌合前の状態、（ｂ）は天井金具の嵌合後の状態を示している。発泡合成樹脂板１の最上部の表面側及び裏面側には溝１１，１１が形成され、（ａ）の上部に示すような断面形状が略Ｃ字状で長さが発泡合成樹脂板１と同一の天井金具１３を当該溝１１，１１に挿通し、（ｂ）に示すように発泡合成樹脂板１の最上部に天井金具１３を挿着することにより、白蟻が当該発泡合成樹脂板１の内部より天井部に侵入してきても天井金具１３により行き止るため、それ以上の進入を防止することが可能となる。【００１７】  また、図６は本発明の換気調節機能付き外断熱用発泡合成樹脂板を基礎コンクリートに固着した一実施例での換気機構の平面図であり、上述の図３の説明で述べたように泡合成樹脂板１の換気孔１２を換気調節板３の調節孔４により開放した場合、換気孔１２の内部正面に基礎パッキン１６のない部分において図中矢印のように床下空間の空気と外気との換気が行われる。なお、換気孔１２の内部正面に基礎パッキン１６がある部分においても基礎パッキン１６の奥行が基礎コンクリートｌ４の幅より狭い場合や、基礎パッキン１６自体の構造に空��の流通経路がある場合には換気が行われることになる。【００１８】  上記述べたように、住宅等の建築構造物の床下空間の換気調節を行う場合には、換気調節板３の調節レバー５をスライドさせるだけで簡単に行うことができる。また、機構も単純で電気部品等を使用していないため、居住後におけるメンテナンスも不要である。更には合わせて外断熱基礎を構築することができる。
【図面の簡単な説明】
【００１９】
【図１】本発明の換気調節機能付き外断熱用発泡合成樹脂板の外形図である。
【図２】本発明の換気調節機能付き外断熱用発泡合成樹脂板の連結機構図である。
【図３】本発明の換気調節機能付き外断熱用発泡合成樹脂板の換気機構図である。
【図４】本発明の換気調節機能付き外断熱用発泡合成樹脂板の天井側面図である。
【図５】本発明の換気調節機能付き外断熱用発泡合成樹脂板を基礎コンクリートに固着した一実施例での換気機構の側面図である。
【図６】本発明の換気調節機能付き外断熱用発泡合成樹脂板を基礎コンクリートに固着した一実施例での換気機構の平面図である。
【符号の説明】
【００２０】１  発泡合成樹脂板
２  嵌合部
３  換気調節板
４  調節孔
５  換気レバー
６  摺動溝
７  溝
８  保持板
９  溝
１０  コーキング材
１１  溝
１２  換気孔
１３  天井金具
１４  基礎コンクリート
１５  根太
１６  基礎パッキン
１７  パッキン
１８  防水カバー
【図１】
2005105792.tif 000003
【図２】
2005105792.tif 000004
【図３】
2005105792.tif 000005
【図４】
2005105792.tif 000006
【図５】
2005105792.tif 000007
【図６】
2005105792.tif 000008